(57)【要約】【課題】リアルタイムで情報交換を行うことができるようにする。【解決手段】メッセンジャー管理サーバ８により、店舗情報サーバ５からの店舗情報と地図情報とが受け付けられて保管され、位置情報サーバ６からの携帯端末２の現時点の位置情報を基に携帯端末２の現在位置に近いものに該当する店舗が保管されている店舗情報から判断され、位置情報サーバ６からの携帯端末２の識別ＩＤを基に送信先が判断され、該当する店舗の店舗情報及びその店舗の地図情報がメッセンジャーデータとして携帯端末２に送信され、その店舗情報及び地図情報が携帯端末２に表示されるようにした。【選択図】図１
2007233808.tif 000002
【特許請求の範囲】
【請求項１】
メッセンジャー機能を用いた情報交換システムであって、
少なくとも、ＧＰＳ衛星からの位置情報を取得するＧＰＳ情報受信手段と、前記メッセンジャー機能を待ち受け画面に常駐させる手段とを有する携帯端末と、
各店舗の店舗情報及びその店舗の地図情報を保持し、前記携帯端末からネットワークを介して送信される位置情報を基に前記携帯端末の現在位置に近いものに該当する店舗を判断する該当店舗判断手段と、前記識別ＩＤを基に送信先を判断する送信先判断手段とを有するメッセンジャー管理サーバとを備え、
前記メッセンジャー管理サーバにより、該当する店舗の店舗情報及びその店舗の地図情報がメッセンジャーデータとして前記携帯端末に送信される
ことを特徴とする情報交換システム。
【請求項２】
地図情報を格納している地図データベースと、
各店舗が保有する店舗端末に接続され、それぞれの店舗端末からの店舗情報を受け付け、その店舗情報に含まれる店舗の所在地情報をキーワードにして前記地図データベースから地図情報を取得する地図情報取得手段と、前記店舗情報と前記地図情報とを前記メッセンジャー管理サーバに登録する手段とを有する店舗情報サーバと、
前記携帯電話からの位置情報を基に前記携帯端末が一定の距離を移動したか否かを判断する移動距離判断手段と、この移動距離判断手段により一定の距離を移動したと判断されると前記メッセンジャー管理サーバへ前記携帯端末の現時点の位置情報と識別ＩＤとを送信する手段とを有する位置情報サーバとを備える
ことを特徴とする請求項１に記載の情報交換システム。
【請求項３】
前記メッセンジャー管理サーバは、前記携帯端末からの前記店舗情報に含まれている店舗ＵＲＬへのアクセスを基に、該当する店舗のクーポン券の入手や食事予約を受け付ける手段を有することを特徴とする請求項１又は２に記載の情報交換システム。
【請求項４】
メッセンジャー機能を用いたメッセンジャー管理サーバであって、
店舗情報サーバからの店舗情報と地図情報とを受け付けて保管する手段と、
位置情報サーバからの携帯端末の現時点の位置情報を基に携帯端末の現在位置に近いものに該当する店舗を前記保管されている店舗情報から判断する該当店舗判断手段と、
前記位置情報サーバからの携帯端末の識別ＩＤを基に送信先を判断する送信先判断手段とを有し、
該当する店舗の店舗情報及びその店舗の地図情報をメッセンジャーデータとして前記携帯端末に送信する
ことを特徴とするメッセンジャー管理サーバ。
【請求項５】
メッセンジャー機能を用いた情報交換方法であって、
店舗情報サーバからの店舗情報と地図情報とを受け付けて保管するステップと、
位置情報サーバからの携帯端末の現時点の位置情報を基に携帯端末の現在位置に近いものに該当する店舗を前記保管されている店舗情報から判断するステップと、
前記位置情報サーバからの携帯端末の識別ＩＤを基に送信先を判断するステップと、
該当する店舗の店舗情報及びその店舗の地図情報がメッセンジャーデータとして前記携帯端末に送信されるステップとを有する
ことを特徴とする情報交換方法。
【請求項６】
メッセンジャー機能を用いた情報交換方法を実行するための情報交換プログラムであって、
店舗情報サーバからの店舗情報と地図情報とを受け付けて保管するステップと、
位置情報サーバからの携帯端末の現時点の位置情報を基に携帯端末の現在位置に近いものに該当する店舗を前記保管されている店舗情報から判断するステップと、
前記位置情報サーバからの携帯端末の識別ＩＤを基に送信先を判断するステップと、
該当する店舗の店舗情報及びその店舗の地図情報がメッセンジャーデータとして前記携帯端末に送信されるステップとを有する
ことを特徴とする情報交換プログラム。
【請求項７】
メッセンジャー機能を用いた情報交換方法を実行するための情報交換プログラムが記録される記録媒体であって、
店舗情報サーバからの店舗情報と地図情報とを受け付けて保管するステップと、
位置情報サーバからの携帯端末の現時点の位置情報を基に携帯端末の現在位置に近いものに該当する店舗を前記保管されている店舗情報から判断するステップと、
前記位置情報サーバからの携帯端末の識別ＩＤを基に送信先を判断するステップと、
該当する店舗の店舗情報及びその店舗の地図情報がメッセンジャーデータとして前記携帯端末に送信されるステップとを示す情報交換プログラムが記録されている
ことを特徴とする記録媒体。
【発明の詳細な説明】
【技術分野】
【０００１】
本発明は、メッセンジャー機能を携帯端末の待ち受け画面に常駐させ、ＧＰＳの位置情報に基づき物理的距離が近い携帯端末が認識されると、リアルタイムでプッシュ型のサービス情報交換を行う情報交換システム、メッセンジャー管理サーバ、情報交換方法、情報交換プログラム及び記録媒体に関する。
【背景技術】
【０００２】
インターネットを利用したコミュニケーションツールとして、電子メールシステムが広く知られている。電子メールシステムでは、送信側の携帯端末から送信したメールがインターネット上に存在する相手先のメールボックスに蓄積され、受信側の携帯端末によりそのメールボックスからメールをダウンロードすることにより、送信側からのメールが受信される。
【０００３】
ところで、このような電子メールシステムでは、メールの受信が受信側の意思に依存されるため、リアルタイムでメッセージ交換を行うことが困難である。このようなリアルタイム性を補うようにしたものとして、インターネットを利用したコミュニケーションツールとしてのインスタントメッセージングシステムがある。これは、送信されたメッセージが相手先の携帯端末へリアルタイムで中継されて転送されるようにしたものである。そのため、利用者は、予め承認した特定の相手とリアルタイムで対話（メッセージ交換）を楽しむことができる。
【０００４】
ここで、携帯版のインスタントメッセンジャーサービスとして、たとえば「ＭＳＮモバイルメッセンジャー」が知られている。また、ＧＰＳ位置情報サービス及び付随サービスを有したものとして、たとえば「ＥＺナビウォーク」が知られている。また、固定端末（ＰＣ等）と携帯端末との間で相互に位置情報検索を行うようにしたものとして、たとえば「ＤｏＣｏです・ＷＡＬＫＥＲ」が知られている。
【０００５】
このような携帯版のインスタントメッセンジャーサービスを利用したものとして、特許文献１では、情報提供元位置情報解析部が、情報提供者の携帯端末の現在位置に関する位置情報を取得し、取得した位置情報に基づいて、情報提供者の携帯端末が存在するエリアを認識し、認識したエリアを配信エリアと特定すると、報配信先位置情報解析部が、利用者の携帯端末の現在位置に関する位置情報を取得し、取得した位置情報に基づいて、利用者の携帯端末が存在するエリアを認識し、認識したエリアが配信エリアと一致するか否かについて確認し、情報配信部が、配信エリアと一致するエリア内の利用者の携帯端末に対して、情報提供者が提供する情報を自動的に配信するようにした情報配信方法を提案している。
【特許文献１】特開２００１−３４４２００号公報
【発明の開示】
【発明が解決しようとする課題】
【０００６】
ところが、上述した携帯版のインスタントメッセンジャーサービス、並びに特許文献１に示される情報配信方法は、いずれもプル型の個別サービスであり、必要により検索をして提供されるサービスであるため、リアルタイムで情報交換を行うことができないという問題があった。
【０００７】
本発明は、このような状況に鑑みてなされたものであり、上記問題点を解決することができる情報交換システム、メッセンジャー管理サーバ、情報交換方法、情報交換プログラム及び記録媒体を提供することを目的とする。
【課題を解決するための手段】
【０００８】
本発明の情報交換システムは、メッセンジャー機能を用いた情報交換システムであって、少なくとも、ＧＰＳ衛星からの位置情報を取得するＧＰＳ情報受信手段と、前記メッセンジャー機能を待ち受け画面に常駐させる手段とを有する携帯端末と、各店舗の店舗情報及びその店舗の地図情報を保持し、前記携帯端末からネットワークを介して送信される位置情報を基に前記携帯端末の現在位置に近いものに該当する店舗を判断する該当店舗判断手段と、前記識別ＩＤを基に送信先を判断する送信先判断手段とを有するメッセンジャー管理サーバとを備え、前記メッセンジャー管理サーバにより、該当する店舗の店舗情報及びその店舗の地図情報がメッセンジャーデータとして前記携帯端末に送信されることを特徴とする。
また、地図情報を格納している地図データベースと、各店舗が保有する店舗端末に接続され、それぞれの店舗端末からの店舗情報を受け付け、その店舗情報に含まれる店舗の所在地情報をキーワードにして前記地図データベースから地図情報を取得する地図情報取得手段と、前記店舗情報と前記地図情報とを前記メッセンジャー管理サーバに登録する手段とを有する店舗情報サーバと、前記携帯電話からの位置情報を基に前記携帯端末が一定の距離を移動したか否かを判断する移動距離判断手段と、この移動距離判断手段により一定の距離を移動したと判断されると前記メッセンジャー管理サーバへ前記携帯端末の現時点の位置情報と識別ＩＤとを送信する手段とを有する位置情報サーバとを備えるようにすることができる。
また、前記メッセンジャー管理サーバは、前記携帯端末からの前記店舗情報に含まれている店舗ＵＲＬへのアクセスを基に、該当する店舗のクーポン券の入手や食事予約を受け付ける手段を有するようにすることができる。
本発明のメッセンジャー管理サーバは、メッセンジャー機能を用いたメッセンジャー管理サーバであって、店舗情報サーバからの店舗情報と地図情報とを受け付けて保管する手段と、位置情報サーバからの携帯端末の現時点の位置情報を基に携帯端末の現在位置に近いものに該当する店舗を前記保管されている店舗情報から判断する該当店舗判断手段と、前記位置情報サーバからの携帯端末の識別ＩＤを基に送信先を判断する送信先判断手段とを有し、該当する店舗の店舗情報及びその店舗の地図情報をメッセンジャーデータとして前記携帯端末に送信することを特徴とする。
本発明の情報交換方法は、メッセンジャー機能を用いた情報交換方法であって、店舗情報サーバからの店舗情報と地図情報とを受け付けて保管するステップと、位置情報サーバからの携帯端末の現時点の位置情報を基に携帯端末の現在位置に近いものに該当する店舗を前記保管されている店舗情報から判断するステップと、前記位置情報サーバからの携帯端末の識別ＩＤを基に送信先を判断するステップと、該当する店舗の店舗情報及びその店舗の地図情報がメッセンジャーデータとして前記携帯端末に送信されるステップとを有することを特徴とする。
本発明の情報交換プログラムは、メッセンジャー機能を用いた情報交換方法を実行するための情報交換プログラムであって、店舗情報サーバからの店舗情報と地図情報とを受け付けて保管するステップと、位置情報サーバからの携帯端末の現時点の位置情報を基に携帯端末の現在位置に近いものに該当する店舗を前記保管されている店舗情報から判断するステップと、前記位置情報サーバからの携帯端末の識別ＩＤを基に送信先を判断するステップと、該当する店舗の店舗情報及びその店舗の地図情報がメッセンジャーデータとして前記携帯端末に送信されるステップとを有することを特徴とする。
本発明の記録媒体は、メッセンジャー機能を用いた情報交換方法を実行するための情報交換プログラムが記録される記録媒体であって、店舗情報サーバからの店舗情報と地図情報とを受け付けて保管するステップと、位置情報サーバからの携帯端末の現時点の位置情報を基に携帯端末の現在位置に近いものに該当する店舗を前記保管されている店舗情報から判断するステップと、前記位置情報サーバからの携帯端末の識別ＩＤを基に送信先を判断するステップと、該当する店舗の店舗情報及びその店舗の地図情報がメッセンジャーデータとして前記携帯端末に送信されるステップとを示す情報交換プログラムが記録されていることを特徴とする。
本発明の情報交換システム、メッセンジャー管理サーバ、情報交換方法、情報交換プログラム及び記録媒体では、店舗情報サーバからの店舗情報と地図情報とを受け付けて保管し、位置情報サーバからの携帯端末の現時点の位置情報を基に携帯端末の現在位置に近いものに該当する店舗が保管されている店舗情報から判断され、位置情報サーバからの携帯端末の識別ＩＤを基に送信先が判断され、該当する店舗の店舗情報及びその店舗の地図情報がメッセンジャーデータとして携帯端末に送信されると、その店舗情報及び地図情報が携帯端末に表示される。
【発明の効果】
【０００９】
本発明の情報交換システム、メッセンジャー管理サーバ、情報交換方法、情報交換プログラム及び記録媒体によれば、携帯端末の現時点の位置情報を基に、該当する店舗の店舗情報及びその店舗の地図情報がメッセンジャーデータとして携帯端末に送信され、その店舗情報及び地図情報が携帯端末に表示されるようにしたので、リアルタイムで情報交換を行うことができる。
【発明を実施するための最良の形態】
【００１０】
本実施形態では、店舗情報サーバからの店舗情報と地図情報とを受け付けて保管し、位置情報サーバからの携帯端末の現時点の位置情報を基に携帯端末の現在位置に近いものに該当する店舗が保管されている店舗情報から判断され、位置情報サーバからの携帯端末の識別ＩＤを基に送信先が判断され、該当する店舗の店舗情報及びその店舗の地図情報がメッセンジャーデータとして携帯端末に送信され、その店舗情報及び地図情報が携帯端末に表示されるようにし、リアルタイムで情報交換を行うことができるようにした。
【実施例】
【００１１】
以下、本発明の実施例について説明する。図１は、本発明の情報交換システムの一実施例を示す図である。同図に示すように、情報交換システムは、携帯端末２、店舗情報サーバ５、位置情報サーバ６、地図データベース７、メッセンジャー管理サーバ８を備えている。携帯端末２と店舗情報サーバ５及び位置情報サーバ６とは、通信ネットワーク３を介して相互に通信できるように接続されている。
【００１２】
携帯端末２とメッセンジャー管理サーバ８とは、インターネット４を介して相互に通信できるように接続されている。位置情報サーバ６とメッセンジャー管理サーバ８とは、通信ネットワーク３及びインターネット４を介して相互に通信できるように接続されている。
【００１３】
携帯端末２は、少なくともメッセンジャー機能とＧＰＳ受信機能とを有している。また、メッセンジャー機能は、待ち受け画面（常駐アプリ）に設定される。また、携帯端末２は、ＧＰＳ衛星１からの位置情報を取得し、通信ネットワーク３を介して位置情報サーバ６に取得した位置情報を送信する。
【００１４】
なお、位置情報はＧＰＳ衛星１から所定時間毎に取得され、それに合わせて通信ネットワーク３を介し位置情報サーバ６に送信されるようになっている。また、携帯端末２から位置情報サーバ６に位置情報が送信される際は、携帯端末２の識別ＩＤが併せて送信されるようになっている。識別ＩＤとしては、メッセンジャーサービスを利用する際に発行される利用者番号又は携帯電話番号等であってもよい。
【００１５】
そして、メッセンジャー機能が待ち受け画面（常駐アプリ）に設定されることで、店舗端末９０〜９ｎの所在地に対して一定の距離に近づいた場合、メッセンジャー管理サーバ８からの該当する店舗の店舗情報及びその店舗の地図情報が受信され、その店舗情報及び地図情報が画面に表示される。これにより、携帯端末２を保持するユーザＡは、リアルタイムでプッシュ型のサービス情報を受け取ることができる。
【００１６】
店舗情報サーバ５は、各店舗が保有する店舗端末９０〜９ｎに接続され、それぞれの店舗端末９０〜９ｎからの店舗情報を受け付ける。ここで、店舗情報としては、店舗の所在地情報、店舗の商品案内、セール情報、割引クーポン券、店舗のＵＲＬ情報等である。また、店舗情報サーバ５は、通信ネットワーク３を介し、地図データベース７から店舗の所在地情報をキーワードにして地図情報を取得し、さらに通信ネットワーク３及びインターネット４を介し、その地図情報と各店舗の上述した店舗情報とをメッセンジャー管理サーバ８に登録する。なお、店舗端末９０〜９ｎとしては、店舗情報サーバ５との間で通信できる機能があればよく、パーソナルコンピュータや携帯電話及びＰＤＡ等の携帯端末であってもよい。
【００１７】
位置情報サーバ６は、携帯電話５０からの識別ＩＤを含む位置情報を受け取り、携帯端末２が一定の距離を移動したと判断すると、携帯端末２の現時点の位置情報と識別ＩＤとを、通信ネットワーク３及びインターネット４を介してメッセンジャー管理サーバ８へ送信する。
【００１８】
地図データベース７には、携帯端末２の画面に地図画像が表示可能なｇｉｆやｐｎｇ等の画像形式の地図情報を格納している。メッセンジャー管理サーバ８は、メッセンジャーサービスを利用する各ユーザの携帯端末２のたとえばメールアドレスを識別ＩＤに対応させて管理している。また、メッセンジャー管理サーバ８は、通信ネットワーク３及びインターネット４を介して位置情報サーバ６からの位置情報と識別ＩＤとを受け取ると、その識別ＩＤに対応する送信先を判断し、携帯端末２の現在位置に近いものに該当する店舗の店舗情報及びその店舗の地図情報をメッセンジャーデータとして送信する。
【００１９】
図２は、上述した携帯端末２及びメッセンジャー管理サーバ８の内部構成を示す図である。同図に示すように、携帯端末２は、ＧＰＳ情報受信部２ａ、通信部２ｂ、ＲＯＭ２ｃ、ＲＡＭ２ｄ、表示部２ｅ、操作部２ｆ、マイク２ｇ、スピーカ２ｈ、制御部２ｉを備えている。
【００２０】
ＧＰＳ情報受信部２ａは、ＧＰＳ衛星１から位置情報を取得する。通信部２ｂは、通常の通話の際の音声信号やメール等のデータ信号のやり取りを行う。また、通信部２ｂは、ＧＰＳ衛星１から取得した位置情報を位置情報サーバ６に送信したり、メッセンジャー管理サーバ８からのメッセンジャーデータを受け取ったりする。
【００２１】
ＲＯＭ２ｃには、制御部２ｉの制御に必要な制御プログラム等が格納されている。ＲＡＭ２ｄには、メッセンジャー管理サーバ８から受け取ったメッセンジャーデータ等が格納される。表示部２ｅは、メッセンジャー機能に基づく待ち受け画面（常駐アプリ）を表示する。操作部２ｆは、少なくとも表示部２ｅに表示される上述した店舗情報や地図情報を確認する際に操作する操作ボタンを有している。マイク２ｇは、音声を取り込む。スピーカ２ｈは、音声を発する。
【００２２】
制御部２ｉは、ＲＯＭ２ｃに格納されている制御プログラムに基づき、少なくともメッセンジャー管理サーバ８から受け取ったメッセンジャーデータを基に表示部２ｅに上述した店舗情報や地図情報を表示させる。また、制御部２ｉは、表示部２ｅに表示される店舗のＵＲＬ情報が選択されると、その情報を要求するメッセンジャーデータをメッセンジャー管理サーバ８に送信させるように制御する。
【００２３】
メッセンジャー管理サーバ８は、通信Ｉ／Ｆ８ａ、ＲＯＭ８ｂ、ＲＡＭ８ｃ、該当店舗判断部８ｄ、送信先判断部８ｅ、制御部８ｆを備えている。通信Ｉ／Ｆ８ａは、携帯端末２へメッセンジャーデータを送信したり、携帯端末２からのメッセンジャーデータや店舗情報サーバ５からの位置情報及び識別ＩＤ等を受信したりする。
【００２４】
ＲＯＭ８ｂには、制御部８ｆの制御に必要な制御プログラム等が格納されている。ＲＡＭ８ｃには、携帯端末２の識別ＩＤに対応する携帯端末２の送信先情報や、店舗情報サーバ５からの各店舗の店舗情報及び地図情報等が格納される。該当店舗判断部８ｄは、位置情報サーバ６からの位置情報を基に、近いものに該当する店舗を判断する。送信先判断部８ｅは、位置情報サーバ６からの識別ＩＤから携帯端末２の送信先を判断する。
【００２５】
制御部８ｆは、ＲＯＭ８ｂに格納されている制御プログラムに基づき、少なくとも送信先判断部８ｅによって判断された送信先にメッセンジャーデータを送信するように制御する。
【００２６】
図３は、上述した店舗情報サーバ５及び位置情報サーバ６の内部構成を示す図である。同図に示すように、店舗情報サーバ５は、通信Ｉ／Ｆ５ａ、ＲＯＭ５ｂ、ＲＡＭ５ｃ、地図情報取得部５ｄ、制御部５ｅを備えている。通信Ｉ／Ｆ５ａは、上述したそれぞれの店舗端末９０〜９ｎからの店舗情報や地図データベース７からの地図情報を受信したり、メッセンジャー管理サーバ８へ携帯端末２の位置情報や識別ＩＤを送信したりする。
【００２７】
ＲＯＭ８ｂには、制御部５ｅの制御に必要な制御プログラム等が格納されている。ＲＡＭ８ｃには、上述したそれぞれの店舗端末９０〜９ｎからの店舗情報や地図データベース７からの地図情報が格納される。地図情報取得部５ｄは、地図データベース７から店舗の所在地情報をキーワードとした地図情報を取得する。
【００２８】
制御部５ｅは、ＲＯＭ５ｂに格納されている制御プログラムに基づき、少なくとも店舗端末９０〜９ｎからの店舗情報や地図データベース７からの地図情報をメッセンジャー管理サーバ８に登録したりするように制御する。
【００２９】
位置情報サーバ６は、通信Ｉ／Ｆ６ａ、ＲＯＭ６ｂ、ＲＡＭ６ｃ、移動距離判断部６ｄ、制御部６ｅを備えている。通信Ｉ／Ｆ６ａは、携帯端末２からの位置情報及び識別ＩＤを受信したり、メッセンジャー管理サーバ８へその位置情報及び識別ＩＤを送信したりする。
【００３０】
ＲＯＭ６ｂには、制御部６ｅの制御に必要な制御プログラム等が格納されている。ＲＡＭ６ｃには、携帯端末２からの位置情報及び識別ＩＤ等が格納される。移動距離判断部６ｄは、携帯端末２からの所定時間毎の位置情報から一定の距離を移動した否かを判断し、一定距離移動したと判断すると、制御部６ｅに通知する。
【００３１】
制御部６ｅは、ＲＯＭ６ｂに格納されている制御プログラムに基づき、少なくとも移動距離判断部６ｄによって一定距離移動したと判断されたとき、メッセンジャー管理サーバ８へ携帯端末２の現在の位置情報とその識別ＩＤとを送信するように制御する。
【００３２】
次に、情報交換方法について説明する。まず、図４に示すように、携帯端末２に「街頭メッセンジャー」のアプリケーションをインストールし、待ち受け画面に常駐の状態で設定する（ステップＳ１）。なお、本サービスを使用しない場合のために任意起動、ＯＦＦの設定も可能とされることは勿論である。
【００３３】
店舗情報サーバ５では、各店舗が保有する店舗端末９０〜９ｎからの店舗情報を受け付ける（ステップＳ２）。ここで、店舗情報としては、上述したように、店舗の所在地情報、店舗の商品案内、セール情報、割引クーポン券、店舗のＵＲＬ情報等である。また、店舗情報サーバ５の地図情報取得部５ｄは、通信ネットワーク３を介し、地図データベース７から店舗の所在地情報をキーワードにして地図情報を取得する（ステップＳ３）。また、店舗情報サーバ５では、通信ネットワーク３及びインターネット４を介し、その地図情報と各店舗の上述した店舗情報とをメッセンジャー管理サーバ８に登録する（ステップＳ４）。
【００３４】
この状態で、携帯端末２は、ＧＰＳ衛星１からの位置情報を一定時間毎に通信ネットワーク３を介して位置情報サーバ６に送信する（ステップＳ５）。その際、携帯端末２の識別ＩＤも併せて送信する。
【００３５】
そして、位置情報サーバ６の移動距離判断部６ｄにより、一定距離移動したと判断されると（ステップＳ６）、位置情報サーバ６からメッセンジャー管理サーバ８へ携帯端末２の現在の位置情報とその識別ＩＤとが送信され（ステップＳ７）。
【００３６】
メッセンジャー管理サーバ８では、該当店舗判断部８ｄにより、位置情報サーバ６からの携帯端末２の現在の位置情報から近いものに該当する店舗が判断され（ステップＳ８）、さらに送信先判断部８ｅにより送信先が判断されると（ステップＳ９）、その判断された携帯端末２に携帯端末２の現在位置に近いものに該当する店舗の店舗情報をメッセンジャーデータとして送信する（ステップＳ１０）。
【００３７】
携帯端末２では、メッセンジャー管理サーバ８から受け取ったメッセンジャーデータを基に表示部２ｅに上述した店舗情報が表示される（ステップＳ１１）。これにより、ユーザＡは、リアルタイムで店舗情報を確認することができる。
【００３８】
また、画面に表示されている店舗情報から、希望する店舗を選択し、店舗情報に含まれているＵＲＬにアクセスすることで、店舗の場所の地図情報や、より詳細な情報を得ることができ、クーポン券の入手や食事予約等を行うことができる。
【００３９】
このように、本実施例では、メッセンジャー管理サーバ８により、店舗情報サーバ５からの店舗情報と地図情報とが受け付けられて保管され、位置情報サーバ６からの携帯端末２の現時点の位置情報を基に携帯端末２の現在位置に近いものに該当する店舗が保管されている店舗情報から判断され、位置情報サーバ６からの携帯端末２の識別ＩＤを基に送信先が判断され、該当する店舗の店舗情報及びその店舗の地図情報がメッセンジャーデータとして携帯端末２に送信され、その店舗情報及び地図情報が携帯端末２に表示されるようにし、リアルタイムで情報交換を行うことができる。
【００４０】
また、このような情報交換システムが実現されることで、新たな有料サービスとして提供することができ、サービス事業者の収益拡大を図ることができる。
【００４１】
また、このような情報交換システムが実現されることで、携帯端末２の利用者に絶えずリアルタイムで店舗情報が配信されるので、店舗経営者は少ない投資で顧客獲得を実現できるとともに、顧客獲得の機会損失を防ぐことができる。
【００４２】
また、店舗経営者は、既存のサービス（店舗情報等）を拡張し、登録した店舗からのピンポイントな情報発信による周辺店舗の商機拡大（セール情報やクーポンの配信等）を図ることができる。
【００４３】
また、店舗経営者にとっては、店舗情報がブログとのリンクによる口コミ情報として有効活用されることで、さらなる商機拡大のための付加価値がもたらされる。
【００４４】
また、携帯端末２を利用するユーザにとっては、絶えず周辺の店舗情報をリアルタイムで取得できることから、自分の好みにあった店舗をリアルタイムで検索することができる。また、店舗の地図情報も併せて取得できるので、その地図を見ながら移動することも可能となる。
【００４５】
なお、本実施例では、店舗情報やその店舗の地図情報をリアルタイムで配信する場合について説明したが、この例に限らず、本サービスの利用者同士が近くにいる仲間を認識することも可能であり、お互いのコミュニケーションをとることもできる。この場合、メッセンジャー管理サーバ８から一定の範囲内に居る本サービスの利用者の現在位置を示す地図情報が本サービスの利用者の携帯端末２に自動的に送信されるようにすればよい。
【産業上の利用可能性】
【００４６】
通勤及び通学のリアルタイム情報として、登録ユーザが一定距離を移動する度に他の登録ユーザに地図上に現在位置を表示させるようなシステムにも適用可能である。特に、子供の帰宅時のルートをチェックすることで、迎えのタイミングを的確につかむことができ、防犯にも役立つ。
【図面の簡単な説明】
【００４７】
【図１】本発明の情報交換システムの一実施例を示す図である。
【図２】図１の携帯端末及びメッセンジャー管理サーバの内部構成を示すブロック図である。
【図３】図１の店舗情報サーバ及び位置情報サーバの内部構成を示すブロック図である。
【図４】図１の情報交換システムによる情報交換方法を説明するためのフローチャートである。
【符号の説明】
【００４８】
１  ＧＰＳ衛星
２  携帯端末
２ａ  ＧＰＳ情報受信部（ＧＰＳ情報受信手段）
２ｂ  通信部
２ｅ  表示部
２ｆ  操作部
２ｇ  マイク
２ｈ  スピーカ
２ｉ  制御部
３  通信ネットワーク
４  インターネット
５  店舗情報サーバ
５ａ  通信Ｉ／Ｆ
５ｂ  ＲＯＭ
５ｃ  ＲＡＭ
５ｄ  地図情報取得部（地図情報取得手段）
５ｅ  制御部
６  位置情報サーバ
６ａ  通信Ｉ／Ｆ
６ｂ  ＲＯＭ
６ｃ  ＲＡＭ
６ｄ  移動距離判断部（移動距離判断手段）
６ｅ  制御部
７  地図データベース
８  メッセンジャー管理サーバ
８ａ  通信Ｉ／Ｆ
８ｂ  ＲＯＭ
８ｃ  ＲＡＭ
８ｄ  該当店舗判断部（該当店舗判断手段）
８ｅ  送信先判断部（送信先判断手段）
８ｆ  制御部
【図１】
2007233808.tif 000003
【図２】
2007233808.tif 000004
【図３】
2007233808.tif 000005
【図４】
2007233808.tif 000006